(57)【要約】      （修正有）【課題】円周上を循環する球体による遠心力を負荷とするトレーニング器具に関し、特に任意の姿勢でトレーニング可能なトレーニング器具を提供する。【解決手段】内部に球体１６を循環させるための空間Ｓ２が形成されたケーシング１０、１２と、ケーシング１０、１２に、空間Ｓ２内を自在に循環するように収容された球体１６とを備え、鍛錬者により球体１６を空間Ｓ２内で循環させる。遠心力により球体１６が押し付けられるケーシング１０、１２の内壁は、球体１６の半径より大きな曲率半径の円弧からなるアール内壁を一対有し、これらアール内壁は、球体１６が一方のアール内壁の一点と他方のアール内壁の一点との計二点で接するように、対向して配置される。【選択図】図１
2014210145.tif 000002
【特許請求の範囲】
【請求項１】
内部に球体を循環させるための空間が形成されたケーシングと、該ケーシングに、前記空間内を自在に循環するように収容された前記球体とを備え、前記球体を前記空間内で循環させ、前記球体が遠心力により前記ケーシングの内壁に押し付けられるトレーニング器具であって、前記ケーシングの前記内壁は、前記球体の半径より大きな曲率半径の円弧からなるアール内壁を一対有し、これら該アール内壁は、前記球体が一方の前記アール内壁の一点と他方の前記アール内壁の一点との計二点で接するように、対向して配置されたことを特徴とするトレーニング器具。
【請求項２】
請求項１に記載のトレーニング器具において、前記空間をリング状とするために、前記空間内の中央に芯部材を設け、該芯部材は、遠心力により前記球体が前記内壁に押しつけられているときは前記球体と接触しない形状であることを特徴とするトレーニング器具。
【請求項３】
請求項１または２に記載のトレーニング器具において、前記ケーシングの中央もしくは外周に把持部を取り付けたことを特徴とするトレーニング器具。
【請求項４】
請求項１乃至３の何れか一項に記載のトレーニング器具の前記ケーシングを、連結部材により、前記球体が循環する面に対し垂直もしくは水平に連結したことを特徴とするトレーニング器具。
【請求項５】
請求項１乃至４の何れか一項に記載のトレーニング器具において、前記遠心力により前記球体が押し付けられる前記ケーシングの内壁が切削加工されたことを特徴とするトレーニング器具。
【請求項６】
請求項１乃至５の何れか一項に記載のトレーニング器具において、前記ケーシングを前記球体が循環する面と平行な面で二分割し分割されたことを特徴とするトレーニング器具。
【請求項７】
請求項１乃至６の何れか一項に記載のトレーニング器具において、二分割された前記ケーシングの接合部分に位置決めの為の段差を設けることにより、前記ケーシングの内壁が同じ位置、形状に組み付けられることを特徴とするトレーニング器具。
【請求項８】
請求項１乃至７の何れか一項に記載のトレーニング器具において、前記ケーシングと前記芯部材の接合方法として両端をネジにして締め付けた後、前記芯部材の前記両端をカシメて前記ネジが緩まないようにしたことを特徴とするトレーニング器具。
【請求項９】
請求項１乃至８の何れか一項に記載のトレーニング器具において、前記ケーシングと前記空間内を自在に循環する前記球体の摩擦により３００Ｈｚ〜１０００Ｈｚの音を発することを特徴とするトレーニング器具。
【発明の詳細な説明】
【技術分野】
【０００１】  本発明は、円周上を循環する球体による遠心力を負荷とするトレーニング器具に関し、特に任意の姿勢でトレーニング可能なトレーニング器具に関する。
【背景技術】
【０００２】  内部に球体を循環させるためのドーナツ状の空間が形成されたケーシングと、ケーシングに、空間内を自在に循環するように収容された球体とを備え、ケーシングを揺することで球体を空間内で循環させ、球体が遠心力によりケーシングの内壁に押し付けられるトレーニング器具が従来技術として知られている（特許文献１、２、３参照）。
【先行技術文献】
【特許文献】
【０００３】
【特許文献１】特公昭４２−２６９７０号公報
【特許文献２】特開２０１２−４０３５８号公報
【特許文献３】特開２００３−３３４４５号公報
【発明の概要】
【発明が解決しようとする課題】
【０００４】しかし、従来のトレーニング器具は遠心力により球体が接するケーシングの内壁に工夫が成されておらず、スムーズに安定して球体を循環させることが困難だった。
例えば、ケーシングの内壁を断面円形として一点に接触する場合、抵抗は少ないがトレーニング時のケーシングの姿勢によって接触点がずれるため、安定した球体の循環が困難となり得る。
【課題を解決するための手段】
【０００５】本発明は、内部に球体を循環させるための空間が形成されたケーシングと、ケーシングに、空間内を自在に循環するように収容された球体とを備え、球体を空間内で循環させ、球体が遠心力によりケーシングの内壁に押し付けられるトレーニング器具であって、ケーシングの内壁は、球体の半径より大きな曲率半径の円弧からなるアール内壁を一対有し、これらアール内壁は、球体が一方のアール内壁の一点と他方のアール内壁の一点との計二点で接するように、対向して配置されたことを特徴とするトレーニング器具である。【０００６】更に、球体を循環させるための空間内の中央に芯部材を設け、その芯部材を、遠心力により球体が内壁に押しつけられているときは球体と接触しない形状としたトレーニング器具とすることもできる。【０００７】また、ケーシングの中央もしくは外周に把持部を取り付けることで、ケーシングを把持部を介して手で把持できるトレーニング器具とすることもできる。【０００８】また、ケーシングを連結部材により、球体が循環する面に対し垂直もしくは水平に連結できるトレーニング器具とすることもできる。【０００９】また、遠心力により球体が押し付けられるケーシングの内壁を切削加工で製造するトレーニング器具とすることもできる。【００１０】また、ケーシングを球体が循環する面と平行な面で二分割し分割された形状としたトレーニング器具とすることもできる。【００１１】また、二分割されたケーシングの接合部分に位置決めの為の段差を設けることにより、ケーシングの内壁が同じ位置、形状に組み付けることで製造するトレーニング器具とすることもできる。【００１２】また、ケーシングと芯部材の接合方法として両端をネジにして締め付けた後、芯部材の両端をカシメてネジが緩まないように製造するトレーニング器具とすることもできる。【００１３】また、ケーシングと空間内を自在に循環する球体とケーシングの内壁との摩擦により３００Ｈｚ〜１０００Ｈｚの音を発するトレーニング器具とすることもできる。
【発明の効果】
【００１４】球体がケーシング内壁の二点に接触しているので、球体を安定してスムーズに循環させることができ、遠心力を受けたときセンタリング効果が高まる。
従って、球体の安定した循環を確保でき、球体の循環し易さが向上する。よって、少ない練習量で球体を容易に安定してスムーズに循環させることができ、トレーニング効果が向上する。
【図面の簡単な説明】
【００１５】
【図１】（ａ）は本発明の第１実施形態によるトレーニング器具の平面図、（ｂ）は同トレーニング器具の正面図、（ｃ）は同トレーニング器具の断面図である。
【図２】（ａ）は本発明の第２実施形態によるトレーニング器具の平面図、（ｂ）は同トレーニング器具の正面図、（ｃ）は同トレーニング器具の断面図である。
【図３】本発明の第２実施形態によるトレーニング器具の断面図である。
【図４】本発明の第２実施形態によるトレーニング器具の断面図である。
【図５】本発明の第２実施形態によるトレーニング器具の断面図である。
【図６】本発明の第３実施形態によるトレーニング器具を示す分解斜視図である。
【図７】本発明の第４実施形態によるトレーニング器具を使用してトレーニングを行うときの状態を示す模式図である。
【図８】本発明の第５実施形態によるトレーニング器具を使用してトレーニングを行うときの状態を示す模式図である。
【図９】本発明の第６実施形態によるトレーニング器具を示す分解斜視図である。
【図１０】本発明の第７実施形態によるトレーニング器具を示す分解斜視図である。
【発明を実施するための形態】
【００１６】  本発明の実施形態について図に基づいて説明する。なお、これによって本発明が限定されるものではない。
【実施例１】
【００１７】  図１を参照する。図１に示すように、本発明の第１実施形態によるトレーニング器具は、少なくともケーシング３０を形成する部材１０及び１２と、球体１６と、から構成される。【００１８】  図１を参照する。ケーシング３０を片手に一個、もしくは両手に一個づつ持ち、上下左右もしくは前後に振ることにより、球体がケーシングの内壁を押しつけながら回転することで、遠心力による負荷を手に受けることができ、各種トレーニングが可能となる。
【実施例２】
【００１９】図２を参照する。図２に示すように、本発明の第２実施形態によるトレーニング器具は、少なくともケーシング３１を形成する部材１８及び１９と、球体１６と、芯部材１４から構成される。【００２０】  図２を参照する。図２に示すように、遠心力により球体１６がケーシング３１を形成する部材１８及び１９の内壁に押しつけながら回転しているときは触れることのない、芯部材１４をケーシングの中央に設けることにより、リング状空間Ｓ１になり、球体が強く内壁に衝突することを防ぐことができる。【００２１】  図３を参照する。上ケーシング１８と下ケーシング１９の内壁は、球体１６の半径より大きな曲率半径の円弧からなるアール内壁となっているので、内壁に押しつけながら回転しているときの球体１６は、上ケーシング１８の内壁と下ケーシング１９との内壁のＰ１とＰ２との二点に接触しているので、球体を安定してスムーズに循環させることができるので、球体１６が遠心力を受けたときにセンタリング効果（中心に寄るという効果）が高まる。
従って、球体の安定した循環を確保でき、球体の循環し易さが向上する。よって、少ない練習量で球体を容易に安定してスムーズに循環させることができ、トレーニング効果を向上させることができる。【００２２】  芯部材１４を設置することで球体１６が常にケーシングの内壁に近い位置となる。
よって、トレーニング器具を持ち運ぶ時や球体を循環させ始める際に、球体が強く内壁に衝突することを抑えられ、不快な音を抑制することができる。【００２３】トレーニング中に方向や角度を変えても滑らかな球体の循環移動を得るにはケーシングの内壁に所定の加工精度、所定の面粗度が必要とされる。ケーシングの内壁を鋳造等ではなく切削加工で製造することで球体の滑らかな循環移動が確保されトレーニング効果を向上させることができる。【００２４】図３を参照する。ケーシングを球体１６が循環する面と平行な面で二分割し分割された各ケーシングの内壁が開いた形状にしたことで安価に製造をすることができる。【００２５】図３を参照する。位置決めの為の段差を設けることで組み付け精度を向上させることができる。【００２６】図３を参照する。ケーシングに芯部材を組み付けた後、芯部材の両端をカシメて組み付けたネジが緩まないようにすることができる。【００２７】動かす速さによってトレーニング中に発する音の周波数は３００〜１０００Ｈｚになり癒し効果を得ることができる。【００２８】  図４を参照する。図４で示すように、仮に、ケーシングの内壁を直交する二平面として、球体１６がケーシングの内壁の二点に接触する場合、トレーニング時に球体１６が一方の内壁から離れたとき内壁がアールのものと比べ離れる距離Ｄ２が大きく滑らかに着地できない。よって異音が発生し、球体のスムーズな循環が困難であった。
一方、本実施形態に寄れば、一対のアール内壁となっていて球体がそれら二点で接触するので、トレーニング時に球体が一方の内壁から離れたとき内壁が平面のものと比べ離れる距離Ｄ１が小さく滑らかに着地でき、内壁がトレーニング中にケーシングを様々な姿勢に変えても球体の安定した循環を確保でき、トレーニング効果が向上するトレーニング器具を提供することにある。（Ｄ２＋Ｄ１＞Ｄ１）
よって、球体１６の安定した循環を確保でき、球体の循環し易さが向上する。従って、少ない練習量で球体を容易に安定してスムーズに循環させることができ、トレーニング効果が向上する。【００２９】  図５を参照する。図４に示すように、遠心力が弱いときは片側１点のアールＲ２とＰ５もしくはＰ６との２点で接触することとなる。
【実施例３】
【００３０】  図６を参照する。図６に示すように、本発明の第３実施形態によるトレーニング器具は、先端部がネジ形状の把持部２２にケーシング３１を取り付け、トレーニング体位を増やすことができる。またトレーニング負荷も増やすことができる。ケーシング３１の数は本実施形態の態様だけに限定されるわけではなく、必要に応じて増減する。
ユーザがトレーニングを行う際、従来技術とは異なる感覚を得ることができる。
【実施例４】
【００３１】  図７を参照する。図７に示すように、本発明の第４実施形態によるトレーニング器具は、両側先端部がネジ形状の把持部２６に両側からケーシング３１を取り付け、トレーニング体位を増やすことができる。またトレーニング負荷も増やすことができる。
ケーシング３１の数は本実施形態の態様だけに限定されるわけではなく、必要に応じて増減する。ユーザがトレーニングを行う際、従来のダンベル、バーベルとは異なる感覚を得ることができる。肩に担ぐように持ち、両端のケーシングを上下前後させ脇腹のトレーニングや、腰周辺で把持部を握り腰の捻りトレーニングにも使用することができる。
【実施例５】
【００３２】図８を参照する。図８に示すように、本発明の第５実施形態によるトレーニング器具は、把持部２４にケーシング３１を取り付け、トレーニング体位を増やすことができる。またトレーニング負荷も増やすことができる。ケーシング３１の数は本実施形態の態様だけに限定されるわけではなく、必要に応じて増減する。ユーザがトレーニングを行う際、従来のダンベル、バーベルとは異なる感覚を得ることができる。
【実施例６】
【００３３】図９を参照する。図９に示すように、本発明の第６実施形態によるトレーニング器具は、両側先端部のネジ形状部の取り付け角度が変形している把持部２８の両側にケーシング３１を取り付け、トレーニング体位を増やすことができる。またトレーニング負荷も増やすことができる。ケーシング３１の数は本実施形態の態様だけに限定されるわけではなく、必要に応じて増減する。ユーザがトレーニングを行う際、従来のダンベル、バーベルとは異なる感覚を得ることができる。肩に担ぐように持ち、両端のケーシング３１を前後左右させ脇腹のトレーニングや、腰周辺で把持部を握り腰の捻りトレーニングにも使用することができる。
【実施例７】
【００３４】図１０を参照する。図１０に示すように、本発明の第７実施形態によるトレーニング器具は、連結部材ケース３２にケーシング３１若しくはケーシング３０をはめ入れて連結部材蓋３４をして取り付け、トレーニング体位を増やすことができる。またトレーニング負荷も増やすことができる。ケーシング３１若しくはケーシング３０の数は本実施形態の態様だけに限定されるわけではなく、必要に応じて増減する。ユーザがトレーニングを行う際、従来のダンベル、バーベルとは異なる感覚を得ることができる。
【産業上の利用可能性】
【００３５】  ケーシング３０若しくはケーシング３１と球体１６は重くなく、老若男女使用可能であり、各自で負荷を調節することが可能なのでリハビリに利用することも可能である。
【符号の説明】
【００３６】１０    上ケーシング
１２    下ケーシング
１４    芯部材
１６    球体
１８    上ケーシング
１９    下ケーシング
２０    締め付けナット
２２    把持部
２４    把持部
２６    把持部
２８    把持部
３０    ケーシング
３１    ケーシング
３２    連結部材ケース
３４    連結部材蓋
３６    皿ビス
Ｒ１    球体のアール
Ｒ２    ケーシング内壁アール
Ｐ１    球体とアール内壁との接点
Ｐ２    球体とアール内壁との接点
Ｐ３    球体とアール内壁との接点
Ｐ４    球体とアール内壁との接点
Ｐ５    アール内壁以外の上ケーシングと球体との接点
Ｐ６    アール内壁以外の下ケーシングと球体との接点
Ｄ１    球体と該球体の接線との距離
Ｄ２    球体と内壁アールとの距離
Ｓ１    リング状空間
Ｓ２    内部空間
Ｂ１    位置決め段
Ｋ１    カシメ位置
Ｎ１    ネジ部
Ｎ２    ネジ部
【図１】
2014210145.tif 000003
【図２】
2014210145.tif 000004
【図３】
2014210145.tif 000005
【図４】
2014210145.tif 000006
【図５】
2014210145.tif 000007
【図６】
2014210145.tif 000008
【図７】
2014210145.tif 000009
【図８】
2014210145.tif 000010
【図９】
2014210145.tif 000011
【図１０】
2014210145.tif 000012